(57)【要約】【課題】個々の表示デバイス毎、又は表示デバイスのロット毎にばらついている表示特性に応じた画像表示を実現する。【解決手段】電子ペーパ装置12の表示特性は個々の電子ペーパ装置12毎又は電子ペーパ装置12のロット毎にばらついており、携帯端末24は画像表示対象の電子ペーパ装置12から表示特性情報を取得し、表示部32に表示されて電子ペーパ装置12への再表示対象として選択されたコンテンツの情報、電子ペーパ装置12から取得した表示特性情報及び表示部32の表示特性情報を画像変換サーバ44へ送信し、サーバ44は受信した表示特性情報に基づき、選択されたコンテンツの画像を、電子ペーパ装置12に表示された画像の見えが携帯端末24の表示部32に表示された画像の見えに一致するように変換し、変換後の画像データを携帯端末24へ送信し、携帯端末24はサーバ44から受信した画像データを電子ペーパ装置12に送信することで、電子ペーパ装置12に画像を表示させる。【選択図】図１
2014025980.tif 000002
【特許請求の範囲】
【請求項１】
端末装置に設けられ、個々の表示デバイス毎、又は表示デバイスのロット毎にばらついている表示特性のうち画像表示対象の前記表示デバイスの表示特性を特定可能な第１識別情報を画像表示対象の前記表示デバイスから取得する取得手段と、
前記端末装置に設けられ、前記端末装置の表示部に表示されて表示デバイスへの表示対象として選択されたコンテンツの情報と、前記取得手段によって前記表示デバイスから取得された前記第１識別情報をサーバへ送信する第１送信手段と、
前記サーバに設けられ、前記第１送信手段によって情報が送信されたコンテンツの画像データを、前記第１送信手段によって送信された前記第１識別情報から特定される、画像表示対象の前記表示デバイスの表示特性に応じた画像データへ変換する変換手段と、
前記サーバに設けられ、前記変換手段による変換後の画像データを前記端末装置へ送信する第２送信手段と、
前記端末装置に設けられ、前記変換手段による変換を経て前記第２送信手段によって送信された画像データを画像表示対象の前記表示デバイスに送信することで、前記選択されたコンテンツの画像を画像表示対象の前記表示デバイスに表示させる第３送信手段と、
を含む画像変換システム。
【請求項２】
前記第１識別情報は、個々の前記表示デバイス毎、又は表示デバイスのロット毎にばらついている表示特性のうち画像表示対象の前記表示デバイスの表示特性を表す表示特性情報であり、
前記変換手段は、前記コンテンツの画像データを、前記第１識別情報としての表示特性情報が表す画像表示対象の前記表示デバイスの表示特性に応じた画像データへ変換する請求項１記載の画像変換システム。
【請求項３】
前記第１識別情報は、画像表示対象の前記表示デバイスのＩＤ又はロット番号であり、
前記サーバに設けられ、個々の前記表示デバイス毎、又は表示デバイスのロット毎にばらついている個々の前記表示デバイスの表示特性を表す表示特性情報を、個々の前記表示デバイスの前記ＩＤ又は前記ロット番号と対応付けて記憶する記憶手段を更に備え、
前記変換手段は、前記第１送信手段によって送信された前記第１識別情報としての前記ＩＤ又は前記ロット番号と対応付けて記憶されている前記表示特性情報を前記記憶手段から読み出し、前記コンテンツの画像データを、読み出した前記表示特性情報が表す画像表示対象の前記表示デバイスの表示特性に応じた画像データへ変換する請求項１記載の画像変換システム。
【請求項４】
前記サーバは、前記表示デバイスを製造する製造者側のコンピュータと通信回線を介して接続され、前記製造者側のコンピュータの記憶部には、製造された個々の前記表示デバイス毎、又は表示デバイスのロット毎にばらついている個々の前記表示デバイスの表示特性を表す表示特性情報が、個々の前記表示デバイスの前記ＩＤ又は前記ロット番号と対応付けて記憶されており、
前記サーバに設けられ、前記記憶手段に記憶されている情報を、前記製造者側のコンピュータの記憶部に記憶されている情報と同期させる同期手段を更に備えた請求項３記載の画像変換システム。
【請求項５】
前記第１送信手段は、前記端末装置の表示部の表示特性を特定可能な第２識別情報もサーバへ送信し、
前記変換手段は、前記第１送信手段によって送信された前記第１識別情報から特定される、画像表示対象の前記表示デバイスの表示特性と、前記第１送信手段によって送信された前記第２識別情報から特定される前記端末装置の表示部の表示特性と、の差異に応じて、画像表示対象の前記表示デバイスに表示された画像の見えが前記端末装置の表示部に表示された画像の見えに一致するように、前記コンテンツの画像データを変換する請求項１〜請求項４の何れか１項記載の画像変換システム。
【請求項６】
前記第１送信手段は、前記端末装置の表示部にコンテンツが表示された状態で行われた色調整のパラメータもサーバへ送信し、
前記変換手段は、前記第１送信手段によって送信された色調整のパラメータに応じた色調整が行われるように、前記コンテンツの画像データを変換する請求項１〜請求項５の何れか１項記載の画像変換システム。
【請求項７】
前記表示デバイスの表示特性には、少なくとも、前記表示デバイスに表示される画像の色又は階調に関連する表示特性が含まれる請求項１〜請求項６の何れか１項記載の画像変換システム。
【請求項８】
前記表示デバイスの表示特性には、前記表示デバイスの画素数が更に含まれる請求項７記載の画像変換システム。
【請求項９】
前記表示デバイスは電子ペーパである請求項１〜請求項８の何れか１項記載の画像変換システム。
【請求項１０】
前記電子ペーパは３値泳動方式である請求項９記載の画像変換システム。
【請求項１１】
前記表示デバイスは、少なくとも前記第３送信手段と近接通信を行う近接通信手段を備えている請求項１〜請求項１０の何れか１項記載の画像変換システム。
【請求項１２】
個々の表示デバイス毎、又は表示デバイスのロット毎にばらついている表示特性のうち画像表示対象の前記表示デバイスの表示特性を特定可能な第１識別情報を画像表示対象の前記表示デバイスから取得する取得手段と、
端末装置の表示部に表示されて表示デバイスへの表示対象として選択されたコンテンツの情報と、前記取得手段によって前記表示デバイスから取得された前記第１識別情報を送信する第１送信手段と、
受信した画像データを画像表示対象の前記表示デバイスに送信することで、前記選択されたコンテンツの画像を画像表示対象の前記表示デバイスに表示させる第３送信手段と、
を備えた前記端末装置と通信可能とされ、
前記端末装置の前記第１送信手段によって情報が送信されたコンテンツの画像データを、前記第１送信手段によって送信された前記第１識別情報から特定される、画像表示対象の前記表示デバイスの表示特性に応じた画像データへ変換する変換手段と、
前記変換手段による変換後の画像データを前記端末装置へ送信する第２送信手段と、
を含む情報処理装置。
【請求項１３】
端末装置は、個々の表示デバイス毎、又は表示デバイスのロット毎にばらついている表示特性のうち画像表示対象の前記表示デバイスの表示特性を特定可能な第１識別情報を画像表示対象の前記表示デバイスから取得し、前記端末装置の表示部に表示されて表示デバイスへの表示対象として選択されたコンテンツの情報と、前記表示デバイスから取得した前記第１識別情報をサーバへ送信し、
前記サーバは、前記端末装置によって情報が送信されたコンテンツの画像データを、前記端末装置によって送信された前記第１識別情報から特定される、画像表示対象の前記表示デバイスの表示特性に応じた画像データへ変換し、変換後の画像データを前記端末装置へ送信し、
前記端末装置は、前記変換を経て前記サーバから送信された画像データを画像表示対象の前記表示デバイスに送信することで、前記選択されたコンテンツの画像を画像表示対象の前記表示デバイスに表示させる画像変換方法。
【発明の詳細な説明】
【技術分野】
【０００１】
本発明は画像変換システム、情報処理装置及び画像変換方法に関する。
【背景技術】
【０００２】
近年、携帯電話機に代表される携帯端末は広範に普及しており、最近では、スマートホン等のように、より多機能で表示部も大画面化された携帯端末の普及も進んできている。このような実情に鑑み、今後は、携帯端末の表示部に表示させて内容を確認したコンテンツを、電子ペーパ等の表示デバイスに画像として再表示させ、鑑賞等に供する、というニーズが高まってくる可能性がある。
【０００３】
上記に関連して特許文献１には、携帯電話機と、複数の電子ペーパ端末と、携帯電話機に各種表示情報を送信するデータベースサーバとからなる情報通信システムにおいて、携帯電話機と各電子ペーパ端末との間では認証を行う無線通信が確立されると共に、表示情報の通信を行うための無線通信が確立され、表示情報はデータベースサーバから携帯電話機を経由して電子ペーパ端末へ送信される構成が開示されている。
【０００４】
また特許文献２には、携帯端末の表示部の表示領域が電子ペーパの表示領域より小さい場合でも、利用者が正確かつ容易に画面操作を行えるようにするために、携帯端末の表示部と電子ペーパの表示領域の情報を記憶しておき、表示すべきコンテンツを取得し、電子ペーパの表示領域に応じた画面データを生成し、画面データを携帯端末の表示部の表示領域に応じて複数の部分領域に区分し、部分領域の範囲と当該部分領域を識別する識別子との対応関係を示す領域表示データを付加して、電子ペーパに表示させる技術が開示されている。
【０００５】
また特許文献３には、電子ペーパ装置に接続される携帯電話機において、原画像データがＱＶＧＡサイズ以下に区分された複数の部分画像データをサーバから受信し、２４ビットマップフォーマットの部分画像データ毎に、電子ペーパ装置のＲＧＢＷ変形ビットマップフォーマットに変換し、複数の部分画像データを並べた原画像データの全体領域又は部分領域を生成し、生成した原画像データを電子ペーパ装置へ出力する技術が開示されている。
【先行技術文献】
【特許文献】
【０００６】
【特許文献１】特開２００６−１５７７２５号公報
【特許文献１】特開２００８−２１１３７９号公報
【特許文献１】特開２０１０−１９１０２６号公報
【発明の概要】
【発明が解決しようとする課題】
【０００７】
携帯端末の表示部に表示させたコンテンツを電子ペーパ等の表示デバイスに画像として単に再表示させた場合、表示デバイスの表示特性によっては、表示デバイスに再表示させた画像の画質が不満足なものとなる可能性がある。
【０００８】
これに対して特許文献１は、データベースサーバから携帯端末を経由して表示デバイスへ表示情報は送信される構成は開示されているものの、表示デバイスに画像を表示させるにあたって表示デバイスの表示特性を考慮することは記載されていない。
【０００９】
また、特許文献２は、携帯端末の表示部の表示領域が表示デバイスの表示領域より小さい場合を考慮し、画面データを複数の部分領域に区分し、何れかの部分領域の画像を携帯端末の表示部に表示させることが記載されている。しかしながら、特許文献２に記載の技術は、表示デバイスに再表示させる画像の画質の向上については何ら考慮されていない。
【００１０】
また、特許文献３は、電子ペーパ等の表示デバイスでは表現可能な階調数が液晶ディスプレイよりも少ないことを考慮し、１つのピクセルに１６ビットの情報を割り当てた表示デバイス用の画像フォーマットに画像データを変換することが記載されている。しかしながら、表示デバイスの表示特性は、個々の表示デバイス毎、又は表示デバイスのロット毎にばらつきがあり、特許文献３のように、一定フォーマットの画像データへ変換するのみでは、適正な画質の画像を表示デバイスに表示させることは困難である。
【００１１】
本発明は上記事実を考慮して成されたもので、個々の表示デバイス毎、又は表示デバイスのロット毎にばらついている表示特性に応じた画像表示を実現できる画像変換システム、情報処理装置及び画像変換方法を得ることが目的である。
【課題を解決するための手段】
【００１２】
請求項１記載の発明に係る画像変換システムは、端末装置に設けられ、個々の表示デバイス毎、又は表示デバイスのロット毎にばらついている表示特性のうち画像表示対象の前記表示デバイスの表示特性を特定可能な第１識別情報を画像表示対象の前記表示デバイスから取得する取得手段と、前記端末装置に設けられ、前記端末装置の表示部に表示されて表示デバイスへの表示対象として選択されたコンテンツの情報と、前記取得手段によって前記表示デバイスから取得された前記第１識別情報をサーバへ送信する第１送信手段と、前記サーバに設けられ、前記第１送信手段によって情報が送信されたコンテンツの画像データを、前記第１送信手段によって送信された前記第１識別情報から特定される、画像表示対象の前記表示デバイスの表示特性に応じた画像データへ変換する変換手段と、前記サーバに設けられ、前記変換手段による変換後の画像データを前記端末装置へ送信する第２送信手段と、前記端末装置に設けられ、前記変換手段による変換を経て前記第２送信手段によって送信された画像データを画像表示対象の前記表示デバイスに送信することで、前記選択されたコンテンツの画像を画像表示対象の前記表示デバイスに表示させる第３送信手段と、を含んで構成されている。
【００１３】
請求項１記載の発明では、端末装置に取得手段及び第１送信手段が設けられている。取得手段は、個々の表示デバイス毎、又は表示デバイスのロット毎にばらついている表示特性のうち、画像表示対象の表示デバイスの表示特性を特定可能な第１識別情報を画像表示対象の表示デバイスから取得する。また、第１送信手段は、端末装置の表示部に表示されて表示デバイスへの表示対象として選択されたコンテンツの情報と、取得手段によって表示デバイスから取得された第１識別情報をサーバへ送信する。
【００１４】
一方、サーバには変換手段及び第２送信手段が設けられている。変換手段は、第１送信手段によって情報が送信されたコンテンツの画像データを、第１送信手段によって送信された第１識別情報から特定される、画像表示対象の表示デバイスの表示特性に応じた画像データへ変換する。これにより、表示対象として選択されたコンテンツの画像データは、個々の表示デバイス毎、又は表示デバイスのロット毎にばらついている表示デバイスの表示特性のうち、画像表示対象の表示デバイスの表示特性に応じた画像データへ変換される。また第２送信手段は、変換手段による変換後の画像データを端末装置へ送信する。
【００１５】
また、端末装置には第３送信手段が設けられている。第３送信手段は、変換手段による変換を経て第２送信手段によって送信された画像データを画像表示対象の表示デバイスに送信することで、選択されたコンテンツの画像を画像表示対象の表示デバイスに表示させる。
【００１６】
このように、請求項１記載の発明では、画像表示対象の表示デバイスの表示特性を特定可能な第１識別情報を画像表示対象の表示デバイスから取得している。また、表示対象として選択されたコンテンツの画像データを、第１識別情報から特定される、画像表示対象の表示デバイスの表示特性に応じた画像データへ変換している。そして、変換後の画像データを画像表示対象の表示デバイスに送信することで、選択されたコンテンツの画像を画像表示対象の表示デバイスに表示させている。従って、請求項１記載の発明によれば、個々の表示デバイス毎、或いは表示デバイスのロット毎にばらついている表示特性に応じた画像表示を実現することができる。
【００１７】
なお、請求項１記載の発明において、第１識別情報としては、例えば請求項２に記載したように、個々の表示デバイス毎、又は表示デバイスのロット毎にばらついている表示特性のうち画像表示対象の表示デバイスの表示特性を表す表示特性情報を適用することができる。この場合、取得手段により、第１識別情報として画像表示対象の表示デバイスの表示特性を表す表示特性情報が取得される。また変換手段は、選択されたコンテンツの画像データを、第１識別情報としての表示特性情報が表す画像表示対象の表示デバイスの表示特性に応じた画像データへ変換するように構成することができる。
【００１８】
請求項２記載の発明では、表示デバイスの製造時に、個々の表示デバイスの表示特性を測定し、表示特性情報として個々の表示デバイスに書き込んでおく必要がある。但し、請求項２記載の発明は、個々の表示デバイスの表示特性情報を記憶する記憶手段を別途用意する必要が無くなり、構成が簡単になるという利点を有する。
【００１９】
また、請求項１記載の発明において、第１識別情報は、例えば請求項３に記載したように、画像表示対象の表示デバイスのＩＤ又はロット番号であってもよい。この場合、取得手段により、第１識別情報として画像表示対象の表示デバイスのＩＤ又はロット番号が取得される。また請求項３記載の発明は、サーバに記憶手段が設けられている。記憶手段は、個々の表示デバイス毎、又は表示デバイスのロット毎にばらついている個々の表示デバイスの表示特性を表す表示特性情報を、個々の表示デバイスのＩＤ又はロット番号と対応付けて記憶する。また、変換手段は、第１送信手段によって送信された第１識別情報としてのＩＤ又はロット番号と対応付けて記憶されている表示特性情報を記憶手段から読み出す。そして、選択されたコンテンツの画像データを、読み出した表示特性情報が表す画像表示対象の表示デバイスの表示特性に応じた画像データへ変換する。
【００２０】
請求項３記載の発明では、サーバに記憶手段を設ける必要がある代りに、個々の表示デバイスに表示特性情報を保持させる必要が無くなるので、個々の表示デバイスに保持させる情報量を削減することができ、個々の表示デバイスの構成が簡単になる。
【００２１】
また、請求項４記載の発明は、請求項３記載の発明において、サーバは、表示デバイスを製造する製造者側のコンピュータと通信回線を介して接続されている。製造者側のコンピュータの記憶部には、製造された個々の前記表示デバイス毎、又は表示デバイスのロット毎にばらついている個々の前記表示デバイスの表示特性を表す表示特性情報が、個々の表示デバイスのＩＤ又はロット番号と対応付けて記憶されている。また、サーバには同期手段が設けられており、同期手段は、記憶手段に記憶されている情報を、製造者側のコンピュータの記憶部に記憶されている情報と同期させる。
【００２２】
請求項４記載の発明では、記憶手段に記憶されている情報が、同期手段により、製造者側のコンピュータの記憶部に記憶されている情報と同期される。このため、新たな表示デバイスが続々と製造されている状況でも、記憶手段に記憶されている情報を適宜更新する作業が不要となり、当該作業の省力化を実現できる。
【００２３】
請求項５記載の発明は、請求項１〜請求項４の何れか１項記載の発明において、第１送信手段は、端末装置の表示部の表示特性を特定可能な第２識別情報もサーバへ送信する。なお、第２識別情報は、先の請求項２と同様の表示特性情報であってもよいし、先の請求項３と同様に端末装置ＩＤ又はロット番号であってもよい。また変換手段は、画像表示対象の表示デバイスに表示された画像の見えが端末装置の表示部に表示された画像の見えに一致するように、選択されたコンテンツの画像データを変換する。この変換手段による画像データの変換は、第１識別情報から特定される画像表示対象の表示デバイスの表示特性と、第２識別情報から特定される端末装置の表示部の表示特性と、の差異に応じて行われる。
【００２４】
請求項５記載の発明では、端末装置の表示部の表示特性を特定可能な第２識別情報も利用することで、画像表示対象の表示デバイスに表示された画像の見えが端末装置の表示部に表示された画像の見えに一致するように画像データが変換される。これにより、端末装置の表示部に表示されたコンテンツを視認して当該コンテンツを選択した利用者が、その後表示デバイスに表示された画像を視認した際に、その見えに違和感を抱くことが抑制される。
【００２５】
請求項６記載の発明は、請求項１〜請求項５の何れか１項記載の発明において、第１送信手段は、端末装置の表示部にコンテンツが表示された状態で行われた色調整のパラメータもサーバへ送信する。また、変換手段は、第１送信手段によって送信された色調整のパラメータに応じた色調整が行われるように、選択されたコンテンツの画像データを変換する。請求項６記載の発明では、端末装置の表示部に表示されたコンテンツを視認した利用者が、端末装置を介して色調整を指示することで、表示デバイスに表示される画像にも同様の色調整を反映させることが可能となる。
【００２６】
また、請求項１〜請求項６の何れか１項記載の発明において、表示デバイスの表示特性には、例えば請求項７に記載したように、少なくとも、表示デバイスに表示される画像の色又は階調に関連する表示特性を含めることができる。この場合、変換手段により、少なくとも、表示デバイスに表示される画像の色又は階調に関連する表示特性に応じて、画像データが変換されることになる。
【００２７】
また、請求項７記載の発明において、表示デバイスの表示特性には、例えば請求項８に記載したように、表示デバイスの画素数も更に含めることができる。この場合、変換手段により、表示デバイスの画素数に応じた画像データの変換も同時に行われる。
【００２８】
また、請求項１〜請求項８の何れか１項記載の発明において、例えば請求項９に記載したように、表示デバイスとしては電子ペーパを適用することができる。また、請求項９記載の発明において、例えば請求項１０に記載したように、電子ペーパとしては３値泳動方式が好ましい。３値泳動方式の電子ペーパは色再現性に優れ、高い色再現性が要求されるコンテンツの画像の表示にも適している。
【００２９】
また、請求項１〜請求項１０の何れか１項記載の発明において、表示デバイスは、例えば請求項１１に記載したように、少なくとも第３送信手段と近接通信を行う近接通信手段を備えた構成であってもよい。
【００３０】
請求項１２記載の発明に係る情報処理装置は、個々の表示デバイス毎、又は表示デバイスのロット毎にばらついている表示特性のうち画像表示対象の前記表示デバイスの表示特性を特定可能な第１識別情報を画像表示対象の前記表示デバイスから取得する取得手段と、端末装置の表示部に表示されて表示デバイスへの表示対象として選択されたコンテンツの情報と、前記取得手段によって前記表示デバイスから取得された前記第１識別情報を送信する第１送信手段と、受信した画像データを画像表示対象の前記表示デバイスに送信することで、前記選択されたコンテンツの画像を画像表示対象の前記表示デバイスに表示させる第３送信手段と、を備えた前記端末装置と通信可能とされ、前記端末装置の前記第１送信手段によって情報が送信されたコンテンツの画像データを、前記第１送信手段によって送信された前記第１識別情報から特定される、画像表示対象の前記表示デバイスの表示特性に応じた画像データへ変換する変換手段と、前記変換手段による変換後の画像データを前記端末装置へ送信する第２送信手段と、を含んで構成されているので、請求項１記載の発明と同様に、個々の表示デバイス毎、又は表示デバイスのロット毎にばらついている表示特性に応じた画像表示を実現できる。
【００３１】
請求項１３記載の発明に係る画像変換方法は、端末装置は、個々の表示デバイス毎、又は表示デバイスのロット毎にばらついている表示特性のうち画像表示対象の前記表示デバイスの表示特性を特定可能な第１識別情報を画像表示対象の前記表示デバイスから取得し、前記端末装置の表示部に表示されて表示デバイスへの表示対象として選択されたコンテンツの情報と、前記表示デバイスから取得した前記第１識別情報をサーバへ送信し、前記サーバは、前記端末装置によって情報が送信されたコンテンツの画像データを、前記端末装置によって送信された前記第１識別情報から特定される、画像表示対象の前記表示デバイスの表示特性に応じた画像データへ変換し、変換後の画像データを前記端末装置へ送信し、前記端末装置は、前記変換を経て前記サーバから送信された画像データを画像表示対象の前記表示デバイスに送信することで、前記選択されたコンテンツの画像を画像表示対象の前記表示デバイスに表示させるので、請求項１記載の発明と同様に、個々の表示デバイス毎、又は表示デバイスのロット毎にばらついている表示特性に応じた画像表示を実現できる。
【発明の効果】
【００３２】
以上説明したように本発明は、個々の表示デバイス毎、又は表示デバイスのロット毎にばらついている表示特性のうち画像表示対象の表示デバイスの表示特性を特定可能な第１識別情報を画像表示対象の表示デバイスから取得し、端末装置の表示部に表示されて表示デバイスへの表示対象として選択されたコンテンツの情報と、表示デバイスから取得した第１識別情報をサーバへ送信し、サーバは、表示対象として選択されたコンテンツの画像データを、第１識別情報から特定される画像表示対象の表示デバイスの表示特性に応じた画像データへ変換し、変換後の画像データを端末装置へ送信し、端末装置は、前記変換を経てサーバから送信された画像データを画像表示対象の表示デバイスに送信することで、前記選択されたコンテンツの画像を画像表示対象の表示デバイスに表示させるので、個々の表示デバイス毎、又は表示デバイスのロット毎にばらついている表示特性に応じた画像表示を実現できる、という優れた効果を有する。
【図面の簡単な説明】
【００３３】
【図１】第１実施形態に係る画像変換システムの概略構成を示すブロック図である。
【図２】電子ペーパ装置の表示デバイスの概略構成図である。
【図３】表示デバイスの第１〜第４着色粒子を移動させるために必要な印加電圧を説明するための線図である。
【図４】表示デバイスにおける各色表示への状態遷移図である。
【図５】第１実施形態における一連の処理シーケンスを示すシーケンス図である。
【図６】第１実施形態に係る画像データ変換処理の一例を示すフローチャートである。
【図７】携帯端末の表示部及び電子ペーパ装置の表示デバイスの階調特性の一例を示す線図である。
【図８】第２実施形態に係る画像変換システムの概略構成を示すブロック図である。
【図９】第２実施形態における一連の処理シーケンスを示すシーケンス図である。
【図１０】第２実施形態に係る画像データ変換処理の一例を示すフローチャートである。
【発明を実施するための形態】
【００３４】
以下、図面を参照して本発明の実施形態の一例を詳細に説明する。
【００３５】
〔第１実施形態〕
図１には本第１実施形態に係る画像変換システム１０が示されている。画像変換システム１０は、電子ペーパ装置１２、携帯端末２４、画像変換サーバ４４及びコンテンツ提供サーバ５４を含んで構成されている。なお、電子ペーパ装置１２及び携帯端末２４は利用者に所持される。
【００３６】
電子ペーパ装置１２は、表示デバイス１４、バッテリ(二次電池)１５、電源部１７、電圧印加部１６、制御部１８、記憶部２０及び近接通信部２２を備えている。表示デバイス１４は３値泳動方式で画像を表示する、所謂電子ペーパであり、詳細は後述する。電源部１７はバッテリ１５の充放電を制御すると共に、バッテリ１５の放電期間には電圧印加部１６に電力を供給する。電圧印加部１６は、電源部１７から供給された電力を、表示デバイス１４に画像を表示させるための電圧として表示デバイス１４に印加する。制御部１８は、ＣＰＵ及びメモリを含んで構成され、記憶部２０からの情報を読み出しを行うと共に、電圧印加部１６による表示デバイス１４への電圧の印加や、近接通信部２２を介しての外部機器との通信を制御する。近接通信部２２は、携帯端末２４等の外部機器と近接通信(ＮＦＣ：Near Field Communication)を行う。
【００３７】
記憶部２０はフラッシュメモリ等の不揮発性の記憶媒体を含み、本第１実施形態では、表示デバイス１４の表示特性を表す表示特性情報を記憶している。表示特性情報が表す表示デバイス１４の表示特性には、各色成分毎の階調特性(入力色信号値の変化に対する表示濃度の変化を表す特性)が含まれ、表示特性情報は、その他に表示デバイス１４の画素数等の情報を含んでいる。表示デバイス１４の表示特性(各色成分毎の階調特性)は、より詳しくは、個々の表示デバイス１４毎、又は表示デバイス１４の製造ロット毎にばらつきが生じる。このため、本第１実施形態では、電子ペーパ装置１２の製造時に、個々の表示デバイス１４毎、又は表示デバイス１４の個々の製造ロット毎に表示デバイス１４の表示特性が測定され、測定された表示特性が表示特性情報として記憶部２０に書き込まれる。
【００３８】
なお、電子ペーパ装置１２は、表示デバイス１４、電圧印加部１６、制御部１８、記憶部２０及び近接通信部２２が一体となった構成でもよいし、表示デバイス１４以外の一部が別ユニットとして表示デバイス１４と分離可能な構成でもよい。表示デバイス１４を含むユニットと別ユニットとが分離可能な構成であれば、別ユニットと分離した状態での表示デバイス１４を含むユニットの可搬性、取扱容易性が向上する。別ユニットには、例えば、少なくとも電子ペーパ装置１２の各部に電力を供給する電源部を含めることができる。この場合、表示デバイス１４を含むユニットと別ユニットとは、表示デバイス１４に表示されている画像の書替え等を行う際に接続される。
【００３９】
なお、電子ペーパ装置１２は本発明における表示デバイス(より詳しくは請求項９〜請求項１１に記載の電子ペーパ)の一例であり、近接通信部２２は請求項１１に記載の近接通信手段の一例である。
【００４０】
携帯端末２４は、近接通信部２６、制御部２８、記憶部３０、表示部３２、無線通信部３４、入力部３６及び音声入出力部３８を備えている。近接通信部２６は電子ペーパ装置１２等の外部機器と近接通信を行う。制御部２８は、ＣＰＵ及びメモリを含んで構成され、記憶部３０に対して情報の読み書きを行うと共に、表示部３２への画像の表示や、無線通信部３４を介しての無線通信を制御する。表示部３２は液晶ディスプレイや有機ＥＬディスプレイ等から成り、制御部２８によって画像が表示される。無線通信部３４は、制御部２８の制御下で無線通信基地局４０と無線通信を行う。なお、無線通信部３４と無線通信基地局４０との間の無線通信の通信方式は、携帯電話の規格に準拠した通信方式でもよいし、無線ＬＡＮの規格に準拠した通信方式でもよい。
【００４１】
記憶部３０はフラッシュメモリ等の不揮発性の記憶媒体を含み、表示部３２の表示特性(各色成分毎の階調特性)を表す表示特性情報を記憶している。この表示特性情報は、電子ペーパ装置１２の記憶部２０に記憶された表示特性情報と同様に、携帯端末２４毎、又は携帯端末２４の製造ロット毎の表示特性のばらつきを反映した情報であってもよい。また、携帯端末２４毎、又は携帯端末２４の製造ロット毎の表示特性のばらつきが比較的小さい場合には、同一機種の携帯端末２４の記憶部３０に、表示特性情報として同一の情報を記憶させるようにしてもよい。
【００４２】
入力部３６はテンキー、又は表示部３２の表示面に設けられたタッチセンサで構成される。音声入出力部３８は、主に音声通話を行う場合に使用され利用者の音声を電気信号に変換するマイクロフォンと、各種の音声を出力するためのスピーカと、増幅器等の周辺回路を含んでいる。
【００４３】
なお、携帯端末２４は本発明における端末装置の一例であり、無線通信部３４は本発明における第１送信手段の一例であり、近接通信部２６は本発明における取得手段及び第３送信手段の一例である。
【００４４】
また、無線通信基地局４０は通信網４２に接続されており、画像変換サーバ４４及びコンテンツ提供サーバ５４も通信網４２に接続されている。画像変換サーバ４４はＣＰＵ４６、メモリ４８、ＨＤＤ(Hard Disk Drive)やフラッシュメモリ等から成る不揮発性の記憶部５０及び通信Ｉ／Ｆ(インタフェース)部５２を備えている。記憶部５０には、後述する画像変換処理を実行するための画像変換プログラムが記憶されている。なお、画像変換サーバ４４は本発明におけるサーバ及び本発明に係る情報処理装置の一例であり、画像変換サーバ４４は、ＣＰＵ４６が画像変換プログラムを実行することで、本発明における変換手段及び第２送信手段の一例として各々機能する。
【００４５】
コンテンツ提供サーバ５４はＣＰＵ５６、メモリ５８、ＨＤＤやフラッシュメモリ等から成る不揮発性の記憶部６０及び通信Ｉ／Ｆ部６２を備えている。記憶部５０には、通信網４２を介して携帯端末２４へ配信するコンテンツ情報が記憶されている。
【００４６】
次に図２〜図４を参照し、電子ペーパ装置１２の表示デバイス１４について説明する。表示デバイス１４は、透光性を有し画像表示面とされる表示基板７６と、表示基板７６と所定の間隔を隔てて対向配置された背面基板８４と、を含んで構成されている。表示基板７６は、支持基板７０上に表面電極７２及び表面層７４が順に積層された構成とされており、背面基板８４は、支持基板８２上に、背面電極８０及び表面層７８が順に積層された構成とされている。
【００４７】
なお、表示基板７６と背面基板８４との間には、基板間を複数のセルに区画する間隙部材が設けられていてもよい。この場合のセルとは、表示基板７６、背面基板８４及び間隙部材によって囲まれた領域を称する。また、間隙部材は、表示デバイス１４に画像を表示したときに各画素に対応するように設けてもよいし、複数画素を含むようにして設けてもよいし、１つの画素内を複数のセルに分割するように設けてもよい。
【００４８】
表面電極７２及び背面電極８０は、従来の液晶表示素子あるいはプリント基板のエッチング等の従来公知の手段により、所望のパターンを形成することができ、例えば、任意のセグメント状、或いは単純マトリックス駆動を可能とするストライプ状等に形成することができる。また、アクティブマトリックス駆動を可能にするために、支持基板７０,８４が画素毎にＴＦＴ(薄膜トランジスタ)を備えた構成であってもよい。この場合、配線の積層化及び部品実装が容易であることから、ＴＦＴは表示基板７６ではなく背面基板８４に形成することが好ましい。なお、表示デバイス１４を単純マトリックス駆動が可能な構成にすると、表示デバイス１４を簡易な構成とすることができ、ＴＦＴを用いたアクティブマトリックス駆動が可能な構成にすると、単純マトリックス駆動に比べて表示速度を速くすることができる。
【００４９】
表示基板７６と背面基板８４間には、透光性を有する分散液８６が封入されており、分散液８６中に着色された４種類の着色粒子８８（第１着色粒子８８Ａ、第２着色粒子８８Ｂ、第３着色粒子８８Ｃ及び第４着色粒子８８Ｄ）が封入されている。
【００５０】
第１着色粒子８８Ａ及び第２着色粒子８８Ｂの各粒子の大きさ(体積平均粒子径)は、第１着色粒子８８Ａ及び第２着色粒子８８Ｂの隙間を第３着色粒子８８Ｃ及び第４着色粒子８８Ｄが移動可能な大きさとされる。従って、第１着色粒子８８Ａ及び第２着色粒子８８Ｂの大きさは、第３着色粒子８８Ｃ及び第４着色粒子８８Ｄの１０倍以上であることが望ましく、各着色粒子群の粒子径のばらつきが大きい場合には２０倍以上であることが望ましい。この場合、第１着色粒子８８Ａ及び第２着色粒子８８Ｂの隙間を第３着色粒子８８Ｃ及び第４着色粒子８８Ｄが詰まることなく良好に移動することができる。
【００５１】
本実施形態では、第１着色粒子８８Ａは白色に着色され、第２着色粒子８８Ｂは黄色に着色され、第３着色粒子８８Ｃはシアン色に着色され、第４着色粒子８８Ｄはマゼンタ色に着色されている。但し、これに限るものではなく、他の色に着色されていてもよい。
【００５２】
本実施形態において、第１〜第４着色粒子８８Ａ〜Ｄはそれぞれの帯電特性が相違しており、第１着色粒子８８Ａは正に帯電され、第２着色粒子８８Ｂは負に帯電され、第３着色粒子８８Ｃは正に帯電され、第４着色粒子８８Ｄは負に帯電されている。なお、帯電極性は、これに限るものではなく、第１着色粒子８８Ａと第２着色粒子８８Ｂがそれぞれ反対方向へ移動するものであればよい。また、本実施形態では、第３着色粒子８８Ｃと第４着色粒子８８Ｄが逆極性に帯電された場合について説明するが、各着色粒子を移動させるために必要な電圧の範囲が異なれば、それぞれを独立して移動することができるため、同一極性でもよい。
【００５３】
表面電極７２及び背面電極８０は、それぞれ電圧印加部１６に接続されており、電圧印加部１６が表面電極７２と背面電極８０との間に電圧を印加することにより、基板間に電界が形成される。図３には、第１〜第４着色粒子８８Ａ〜Ｄを移動させるために必要な印加電圧を示す。
【００５４】
図３に示すように、第１着色粒子８８Ａ及び第２着色粒子８８Ｂを移動させるために必要な電圧範囲は｜Ｖ２≦Ｖ≦Ｖ１｜(Ｖ２からＶ１の間の値の絶対値)に設定されている。また、第３着色粒子８８Ｃを移動させるために必要な電圧範囲は｜Ｖ４≦Ｖ≦Ｖ３｜(Ｖ４からＶ３の間の値の絶対値)、第４着色粒子８８Ｄを移動させるために必要な電圧範囲は｜Ｖ６≦Ｖ≦Ｖ５｜(Ｖ６からＶ５の間の値の絶対値)に設定されている。なお、各着色粒子８８は、基板間への電圧の印加を停止した後も、ファンデルワールス力や鏡像力等の付着力によって、電圧が印加された時の状態が維持される。
【００５５】
続いて、表示デバイス１４の駆動制御の一例について説明する。なお、以下では、説明を簡単にするために、背面基板８４を接地電位(０Ｖ)とし、表面電極７２に電圧を印加するものとして説明する。
【００５６】
まず、電圧印加部１６が表面電極７２と背面電極８０間に印加電圧Ｖ（−Ｖ１）を印加すると、第１着色粒子８８Ａが表示基板７６側へ移動し、第２着色粒子８８Ｂが背面基板８４側へ移動する。また、第１着色粒子８８Ａ及び第２着色粒子８８Ｂの間隙を通過して、第３着色粒子８８Ｃが表示基板７６側へ移動すると共に、第４着色粒子８８Ｄが背面基板８４側へ移動する。これにより図４(Ａ)に示す状態となり、表示基板７６側からシアン色に着色された第３着色粒子８８Ｃが観察されることになる。このとき、透光性を有する第３着色粒子８８Ｃの下側(背面基板８４側)が白色に着色された第１着色粒子８８Ａであるためシアン色が表示される。
【００５７】
また、図４(Ａ)に示した状態(シアン色表示状態)から、電圧印加部１６が表面電極７２と背面電極８０間に印加電圧Ｖ（Ｖ５）を印加すると、第４着色粒子８８Ｄが表示基板７６側へ移動する。これにより図４(Ｃ)に示す状態となり、表示基板７６側からシアン色に着色された第３着色粒子８８Ｃ及びマゼンタ色に着色された第４着色粒子８８Ｄが観察されることになる。このとき、透光性を有する第３着色粒子８８Ｃ及び第４着色粒子８８Ｄの下側(背面基板８４側)が白色に着色された第１着色粒子８８Ａとなるため、シアン色とマゼンタ色の減色混合色である青色が表示される。
【００５８】
また、図４(Ａ）に示した状態(シアン色表示状態)から、電圧印加部１６が表面電極７２と背面電極８０間に印加電圧Ｖ(Ｖ３)を印加すると、第３着色粒子８８Ｃが背面基板８４側へ移動すると共に、第４着色粒子８８Ｄが表示基板７６側へ移動する。これにより図４(Ｄ)に示す状態となり、表示基板７６側からマゼンタ色に着色された第４着色粒子８８Ｄが観察されることになる。このとき、透光性を有する第４着色粒子８８Ｄの下側(背面基板８４側)が白色に着色された第１着色粒子８８Ａであるため、マゼンタ色が表示される。
【００５９】
また、図４(Ｄ)に示した状態（マゼンタ色表示状態）から、電圧印加部１６が表面電極７２と背面電極８０間に印加電圧Ｖ(−Ｖ５)を印加すると、第４着色粒子８８Ｄが背面基板８４側へ移動する。これにより図４(Ｅ)に示す状態となり、表示基板７６側から白色に着色された第１着色粒子８８Ａが観察されることになり、白色が表示される。
【００６０】
一方、電圧印加部１６が表面電極７２と背面電極８０間に印加電圧Ｖ(Ｖ１)を印加すると、第１着色粒子８８Ａが背面基板８４側へ移動し、第２着色粒子８８Ｂが表示基板７６側へ移動する。また、第１着色粒子８８Ａ及び第２着色粒子８８Ｂの間隙を通過して、第３着色粒子８８Ｃが背面基板８４側へ移動すると共に、第４着色粒子８８Ｄが表示基板７６側へ移動する。これにより図４(Ｂ)に示す状態となり、表示基板７６側からマゼンタ色に着色された第４着色粒子８８Ｄが観察されることになるが、このとき、透光性を有する第４着色粒子８８Ｄの下側(背面基板８４側)が黄色に着色された第２着色粒子８８Ｂとなるため、マゼンタ色と黄色の減色混合色である赤色が表示される。
【００６１】
また、図４(Ｂ)に示した状態(赤色表示状態)から、電圧印加部１６が表面電極７２と背面電極８０間に印加電圧Ｖ(−Ｖ３)を印加すると、第３着色粒子８８Ｃが表示基板７６側へ移動すると共に、第４着色粒子８８Ｄが背面基板８４側へ移動する。これにより図４(Ｆ)に示す状態となり、表示基板７６側からシアン色に着色された第３着色粒子８８Ｃが観察されることになる。このとき、透光性を有する第３着色粒子８８Ｃの下側（背面基板８４側）が黄色に着色された第２着色粒子８８Ｂとなるため、シアン色と黄色の減色混合色である緑色が表示される。
【００６２】
また、図４(Ｆ)に示した状態(緑色表示状態)から、電圧印加部１６が表面電極７２と背面電極８０間に印加電圧Ｖ(Ｖ５)を印加すると、第４着色粒子８８Ｄが表示基板７６側へ移動する。これにより図４(Ｇ)に示す状態となり、表示基板７６側からシアン色に着色された第３着色粒子８８Ｃ及びマゼンタ色に着色された第４着色粒子８８Ｄが観察されることになる。このとき、透光性を有する第３着色粒子８８Ｃ及び第４着色粒子８８Ｄの下側(背面基板８４側)が黄色に着色された第２着色粒子８８Ｂとなるため、シアン色、マゼンタ色及び黄色の減色混合色である黒色が表示される。
【００６３】
また、図４(Ｂ)に示した状態(赤色表示状態)から、電圧印加部１６が表面電極７２と背面電極８０間に印加電圧Ｖ(−Ｖ５)を印加すると、第４着色粒子８８Ｄが背面基板８４側へ移動する。これにより図４(Ｈ)に示す状態となり、表示基板７６側から黄色に着色された第２着色粒子８８Ｂが観察されることになり、黄色が表示される。
【００６４】
このように、第１着色粒子８８Ａ及び第２着色粒子８８Ｂは、接触、或いは近接する第３着色粒子８８Ｃ及び第４着色粒子８８Ｄが駆動されても、質量差により第３着色粒子８８Ｃ及び第４着色粒子８８Ｄの移動の影響を受け難い。また、第１着色粒子８８Ａ及び第２着色粒子８８Ｂをある程度の体積充填率(例えば３０〜６０％)にしておくことにより、第１着色粒子８８Ａ及び第２着色粒子８８Ｂ間の摩擦により、第１着色粒子８８Ａ及び第２着色粒子８８Ｂは動き難いため、第３着色粒子８８Ｃ及び第４着色粒子８８Ｄの移動の影響を受けない。
【００６５】
従って、動き難い、つまり着色粒子を移動させるための電圧範囲の大きい第１着色粒子８８Ａ及び第２着色粒子８８Ｂを最初に駆動してから第３着色粒子８８Ｃや第４着色粒子８８Ｄを移動させることで混色を防止したカラー表示が行われる。また、本実施形態では、それぞれの着色粒子を白色、黄色、シアン色、マゼンタ色に着色することによって８色表示が可能となる。また、上記では、階調表示について特に説明していないが、電圧を印加する際の時間や電圧レベルを調整することで、各色の階調表現も可能である。
【００６６】
次に本第１実施形態の作用として、画像変換システム１０において、電子ペーパ装置１２の表示デバイス１４に画像が表示される迄の一連のシーケンスについて、図５を参照して説明する。
【００６７】
図５に示すシーケンスでは、まず、或る利用者が所持している携帯端末２４に、同一の利用者が所持している電子ペーパ装置１２の情報を登録させる初期設定処理が行われる。すなわち、利用者は、電子ペーパ装置１２と携帯端末２４とが近接通信可能な位置関係になっている状態で、携帯端末２４の入力部３６を介し、電子ペーパ装置１２の情報として表示デバイス１４の表示特性情報を電子ペーパ装置１２に要求するための所定の操作を行う。この操作が行われると、携帯端末２４の制御部２８は、表示デバイス１４の表示特性情報を要求する情報を近接通信部２６から送信させる処理を行う(図５のステップ１００も参照)。
【００６８】
電子ペーパ装置１２の制御部１８は、上記情報が近接通信部２２で受信されると、表示デバイス１４の表示特性情報を記憶部２０から読み出し、読み出した表示特性情報を近接通信部２２から送信させる処理を行う(図５のステップ１０２も参照)。携帯端末２４の制御部２８は、表示デバイス１４の表示特性情報が近接通信部２６で受信されると、受信された表示デバイス１４の表示特性情報を記憶部３０に記憶させる処理を行う(図５のステップ１０４も参照)。これにより、電子ペーパ装置１２の情報として表示デバイス１４の表示特性情報が携帯端末２４に登録される。
【００６９】
その後、利用者は、コンテンツ提供サーバ５４が提供するコンテンツを閲覧するために、携帯端末２４の入力部３６を介し、所望のコンテンツの配信をコンテンツ提供サーバ５４に要求する操作を行う。この操作が行われると、携帯端末２４の制御部２８は、利用者によって指定されたコンテンツの配信を要求する情報(例えばコンテンツのＵＲＬを含む情報)を、無線通信部３４から無線通信によって送信させる処理を行う(図５のステップ１０６も参照)。
【００７０】
無線通信部３４から送信された情報は、まず無線通信基地局４０によって受信され、その後、通信網４２を経由してコンテンツ提供サーバ５４で受信される。コンテンツ提供サーバ５４は、コンテンツの配信を要求する情報を受信すると、要求されたコンテンツの情報を記憶部６０から読み出し、読み出した情報を要求元へ送信する処理を行う(図５のステップ１０８も参照)。
【００７１】
コンテンツ提供サーバ５４から送信された情報は、まず通信網４２を経由して無線通信部３４によって受信された後、無線通信によって無線通信部３４から携帯端末２４へ送信される。携帯端末２４の制御部２８は、先に要求したコンテンツの情報が無線通信部３４によって受信されると、受信した情報が表すコンテンツの画像を生成し、生成した画像を表示部３２に表示させる処理を行う(図５のステップ１１０も参照)。
【００７２】
これにより、利用者は、携帯端末２４の表示部３２に表示された画像を参照することで、先に配信を要求したコンテンツを閲覧することができる。また利用者は、必要に応じて、コンテンツの配信を要求する操作を繰り返すことで、所望のコンテンツの画像を携帯端末２４の表示部３２に順次表示させる。
【００７３】
ここで、携帯端末２４の表示部３２に画像として表示されたコンテンツの中に、利用者が電子ペーパ装置１２の表示デバイス１４への再表示を所望するコンテンツが存在していた場合(図５のステップ１１２が肯定の場合)、以下で説明するシーケンスが実行される。すなわち、利用者は、電子ペーパ装置１２の表示デバイス１４への再表示を所望するコンテンツが存在していた場合、当該コンテンツが表示部３２に表示されている状態で、画像の色調整が必要か否か判定する(図５のステップ１１４も参照)。
【００７４】
画像の色調整が必要と判定した場合、利用者は、携帯端末２４の入力部３６を介し、表示部３２に表示されている画像の色を調整する操作、例えば各色成分毎に濃度をどの程度増減させるかを指定する操作を行う(図５のステップ１１６も参照)。この色調整操作が行われた場合、表示部３２に表示されている画像の色は、利用者の操作に応じて適宜変更されると共に、利用者が指定した色調整量を表す色調整パラメータＫiが制御部２８のメモリに記憶される。なお、利用者が画像の色調整が不要と判定した場合は、上記の色調整操作は行われない。
【００７５】
次に、利用者は、携帯端末２４の入力部３６を介し、表示部３２に画像として表示されているコンテンツの画像を電子ペーパ装置１２の表示デバイス１４に再表示するための変換を画像変換サーバ４４に要求する操作を行う。この操作が行われると、携帯端末２４の制御部２８は、変換対象のコンテンツの識別情報(例えばＵＲＬ)、表示デバイス１４及び表示部３２の表示特性情報を、無線通信部３４から無線通信によって送信させる処理を行う(図５のステップ１１８も参照)。なお、利用者によって色調整操作が行われた場合には、制御部２８のメモリに記憶されている色調整パラメータＫiも同時に送信される。
【００７６】
無線通信部３４から送信された情報は、まず無線通信基地局４０によって受信され、その後、通信網４２を経由して画像変換サーバ４４で受信される。画像変換サーバ４４は、画像の変換を要求する情報を受信すると、まず受信した情報に含まれる変換対象のコンテンツの識別情報に基づき、変換対象のコンテンツの配信を要求する情報を送信する処理を行う(図５のステップ１２０も参照)。
【００７７】
前述のように、コンテンツ提供サーバ５４は、コンテンツの配信を要求する情報を受信すると、要求されたコンテンツの情報を記憶部６０から読み出し、読み出した情報を要求元へ送信する処理を行う(図５のステップ１２２も参照)。これにより、変換対象のコンテンツの情報が画像変換サーバ４４で受信される。
【００７８】
続いて、画像変換サーバ４４は画像データ変換処理を行う(図５のステップ１２４も参照)。以下、図６を参照して画像データ変換処理の詳細を説明する。ステップ１５０において、画像変換サーバ４４は、携帯端末２４から受信した電子ペーパ装置１２の表示デバイス１４の表示特性情報に基づき、電子ペーパ装置１２の表示デバイス１４の画素数を認識する。次のステップ１５２において、画像変換サーバ４４は、コンテンツ提供サーバ５４から受信した情報が表すコンテンツの画像を生成した後に、生成した画像の画素数を、電子ペーパ装置１２の表示デバイス１４の画素数に応じて変換する。
【００７９】
次のステップ１５４において、画像変換サーバ４４は、携帯端末２４から画像変換要求として受信した情報に含まれる携帯端末２４の表示部３２の表示特性情報から、各色成分ｉ毎の階調特性Ｆ(ｄi)を各々抽出する。図７(Ａ)には、携帯端末２４の表示部３２の各色成分ｉ毎の階調特性Ｆ(ｄi)の一例を示す。またステップ１５６において、画像変換サーバ４４は、携帯端末２４から画像変換要求として受信した情報に含まれる電子ペーパ装置１２の表示デバイス１４の表示特性情報から、各色成分ｉ毎の階調特性Ｇ(ｄi)を各々抽出する。図７(Ｂ)には、電子ペーパ装置１２の表示デバイス１４の各色成分ｉ毎の階調特性Ｇ(ｄi)の一例を示す。
【００８０】
次のステップ１５８において、画像変換サーバ４４は、携帯端末２４から画像変換要求として受信した情報に色調整パラメータＫiが含まれているか否か判定する。ステップ１５８の判定が肯定された場合はステップ１６０へ移行する。ステップ１６０において、画像変換サーバ４４は、変換対象のコンテンツの画像データの各画素毎、各色成分ｉ毎の濃度ｄiを、階調特性Ｆ(ｄi)、階調特性Ｇ(ｄi)及び色調整パラメータＫiに基づき、次の(１)式に従って各々変換する。
ｄi＝ｄi×Ｆ(ｄi)／Ｇ(ｄi)＋Ｋi  …(１)
【００８１】
上記の(１)式は、濃度ｄiに、携帯端末２４の表示部３２の階調特性Ｆ(ｄi)を乗じると共に、電子ペーパ装置１２の表示デバイス１４の階調特性Ｇ(ｄi)の逆特性１／Ｇ(ｄi)(図７(Ｂ)参照)を乗じ、更に色調整パラメータＫiを加えている。このため、変換後の画像データを用いて電子ペーパ装置１２の表示デバイス１４に画像を表示させた場合に、色調整を経て携帯端末２４の表示部３２に表示された画像と見えが一致する画像が表示デバイス１４に表示されるように、画像データを変換することができる。
【００８２】
また、ステップ１５８の判定が否定された場合はステップ１６２へ移行する。ステップ１６２において、画像変換サーバ４４は、変換対象のコンテンツの画像データの各画素毎、各色成分ｉ毎の濃度ｄiを、階調特性Ｆ(ｄi)、階調特性Ｇ(ｄi)に基づき、次の(２)式に従って各々変換する。
ｄi＝ｄi×Ｆ(ｄi)／Ｇ(ｄi)  …(２)
【００８３】
上記の(２)式は、濃度ｄiに、携帯端末２４の表示部３２の階調特性Ｆ(ｄi)を乗じると共に、電子ペーパ装置１２の表示デバイス１４の階調特性Ｇ(ｄi)の逆特性１／Ｇ(ｄi)(図７(Ｂ)参照)を乗じている。このため、変換後の画像データを用いて電子ペーパ装置１２の表示デバイス１４に画像を表示させた場合に、携帯端末２４の表示部３２に表示された画像と見えが一致する画像が表示デバイス１４に表示されるように、画像データを変換することができる。なお、画像データ変換処理において、上記の(１)式又は(２)式の画像データ変換の後、シャープネスの強調等の画像処理を更に行うようにしてもよい。
【００８４】
上述した画像データ変換処理を完了すると、画像変換サーバ４４は、画像データ変換処理によって得られた変換後の画像データを、画像変換の要求元である携帯端末２４へ送信する(図５のステップ１２６も参照)。携帯端末２４の制御部２８は、画像変換サーバ４４によって変換された画像データが無線通信部３４によって受信されると、受信した画像データを近接通信部２６によって電子ペーパ装置１２へ送信する処理を行う(図５のステップ１２８も参照)。
【００８５】
電子ペーパ装置１２の制御部１８は、近接通信部２２で画像データが受信されると、受信された画像データを記憶部２０に一旦記憶させる。そして電子ペーパ装置１２の制御部１８は、記憶部２０に記憶させた画像データが表す画像を電圧印加部１６によって表示デバイス１４に書き込ませる(表示させる)処理を行う(図５のステップ１３０も参照)。
【００８６】
これにより、電子ペーパ装置１２の表示デバイス１４には、利用者によって選択されたコンテンツの画像が、携帯端末２４の表示部３２に表示されていた際と見えが一致するように表示される。従って、本第１実施形態では、個々の電子ペーパ装置１２毎、又は電子ペーパ装置１２のロット毎にばらついている表示特性に応じて、個々の電子ペーパ装置１２に画像を表示させることができる。また、携帯端末２４の表示部３２に表示されたコンテンツを視認して当該コンテンツを選択した利用者が、その後、電子ペーパ装置１２の表示デバイス１４に表示された画像を視認した際に、その見えに違和感を抱くことも抑制できる。
【００８７】
〔第２実施形態〕
次に本発明の第２実施形態について説明する。なお、第１実施形態と同一の部分には同一の符号を付して説明を省略し、第１実施形態と異なる部分についてのみ説明する。
【００８８】
図８には本第２実施形態に係る画像変換システム２００が示されている。画像変換システム２００は、電子ペーパ装置１２の記憶部２０に、表示デバイス１４の表示特性を表す表示特性情報に代えて、個々の電子ペーパ装置１２を識別するための装置ＩＤが記憶されている点で第１実施形態と相違している。また、画像変換システム２００は、画像変換サーバ４４の記憶部５０に表示特性ＤＢ(データベース)２０２が記憶されている点でも第１実施形態と相違している。表示特性ＤＢ２０２には、個々の電子ペーパ装置１２の表示デバイス１４の表示特性を表す表示特性情報が、個々の電子ペーパ装置１２の装置ＩＤと対応付けて各々登録されている。
【００８９】
また、画像変換システム２００は、電子ペーパ情報提供サーバ２０４が設けられている点でも第１実施形態と相違している。電子ペーパ情報提供サーバ２０４は、電子ペーパ装置１２の製造メーカによって設置されたサーバであり、ＣＰＵ２０６、メモリ２０８、不揮発性の記憶部２１０及び通信Ｉ／Ｆ部２１２を備えている。記憶部２１０には表示特性ＤＢ２１４が記憶されている。表示特性ＤＢ２１４は、電子ペーパ装置１２の製造メーカによって製造された全ての電子ペーパ装置１２について、表示デバイス１４の表示特性を表す表示特性情報が、個々の電子ペーパ装置１２の装置ＩＤと対応付けて各々登録されている。表示特性ＤＢ２１４は、電子ペーパ装置１２の製造メーカによって新たな電子ペーパ装置１２が製造される度に、新たに製造された電子ペーパ装置１２の表示特性情報及びＩＤが、前記製造メーカによって追加登録される。
【００９０】
次に本第２実施形態の作用を説明する。本第２実施形態では、電子ペーパ装置１２の情報として電子ペーパ装置１２の装置ＩＤが携帯端末２４に登録される。すなわち、図９に示すように、携帯端末２４の初期設定処理において、利用者は、電子ペーパ装置１２と携帯端末２４とが近接通信可能な位置関係になっている状態で、携帯端末２４の入力部３６を介し、電子ペーパ装置１２の情報として電子ペーパ装置１２の装置ＩＤを電子ペーパ装置１２に要求するための所定の操作を行う。この操作が行われると、携帯端末２４の制御部２８は、電子ペーパ装置１２の装置ＩＤを要求する情報を近接通信部２６から送信させる処理を行う(図９のステップ１０１も参照)。
【００９１】
電子ペーパ装置１２の制御部１８は、上記情報が近接通信部２２で受信されると、電子ペーパ装置１２の装置ＩＤを記憶部２０から読み出し、読み出した装置ＩＤを近接通信部２２から送信させる処理を行う(図９のステップ１０３も参照)。携帯端末２４の制御部２８は、電子ペーパ装置１２の装置ＩＤが近接通信部２６で受信されると、受信された電子ペーパ装置１２の装置ＩＤを記憶部３０に記憶させる処理を行う(図９のステップ１０５も参照)。これにより、電子ペーパ装置１２の情報として電子ペーパ装置１２の装置ＩＤが携帯端末２４に登録される。
【００９２】
本第２実施形態における以降のシーケンスは第１実施形態とほぼ同じである。但し、画像の変換を画像変換サーバ４４に要求する操作が利用者によって行われた場合、携帯端末２４の制御部２８は、電子ペーパ装置１２の情報として、表示特性情報に代えて電子ペーパ装置１２の装置ＩＤを送信させる処理を行う(図９のステップ１１８も参照)。
【００９３】
続いて、本第２実施形態において、画像変換サーバ４４によって行われる画像データ変換処理について、図１０を参照して説明する。ステップ１７０において、画像変換サーバ４４は、携帯端末２４から受信した情報に含まれる電子ペーパ装置１２の装置ＩＤをキーにして表示特性ＤＢ２０２を検索する。次のステップ１７２において、画像変換サーバ４４は、ステップ１７０の検索で該当する情報が抽出されたか否か判定する。ステップ１７２の判定が肯定された場合はステップ１７６へ移行する。
【００９４】
一方、ステップ１７２の判定が否定された場合、その理由としては、例えば、装置ＩＤを受信した電子ペーパ装置１２が比較的最近に製造されたものであるため、等が考えられる。このため、ステップ１７２の判定が否定された場合はステップ１７４へ移行する。ステップ１７４において、画像変換サーバ４４は、表示特性ＤＢ２０２に登録されている情報を、電子ペーパ情報提供サーバ２０４の表示特性ＤＢ２１４に登録されている情報と同期(一致)させる処理を行う。これにより、表示特性ＤＢ２０２に登録されている情報が最新の情報に更新される。なお、ステップ１７４は、請求項４に記載の同期手段による処理の一例である。
【００９５】
ステップ１７４の処理を行うとステップ１７０に戻り、画像変換サーバ４４はステップ１７０以降の処理を再度行う。上記のように、ステップ１７２の判定が否定された場合には、表示特性ＤＢ２０２に登録されている情報を最新の情報に更新する処理が行われるので、ステップ１７２の判定を再度行うと判定が肯定されてステップ１７６へ移行する。ステップ１７６において、画像変換サーバ４４は、ステップ１７０の検索で表示特性ＤＢ２０２から抽出された電子ペーパ装置１２の表示デバイス１４の表示特性情報に基づき、電子ペーパ装置１２の表示デバイス１４の画素数を認識する。なお、次のステップ１５２以降の処理は第１実施形態と同じであるので、説明を省略する。
【００９６】
本第２実施形態は、第１実施形態に記載した効果に加えて、以下の効果を有する。すなわち、本第２実施形態では、画像変換サーバ４４の記憶部５０に表示特性ＤＢ２０２を記憶させることで、個々の電子ペーパ装置１２の記憶部２０に表示特性情報を記憶させる必要が無くなる。これにより、個々の電子ペーパ装置１２の記憶部２０に記憶させる情報量を削減することができ、個々の電子ペーパ装置１２の構成が簡単になる。
【００９７】
また、本第２実施形態では、電子ペーパ装置１２の装置ＩＤが表示特性ＤＢ２０２に記憶されていない場合に、表示特性ＤＢ２０２に登録されている情報を、電子ペーパ情報提供サーバ２０４の表示特性ＤＢ２１４に登録されている情報と同期させる処理を行う。これにより、新たな電子ペーパ装置１２が続々と製造されている状況でも、表示特性ＤＢ２０２に登録されている情報を適宜更新する作業が不要となり、当該作業の省力化を実現できる。
【００９８】
なお、第２実施形態では、電子ペーパ装置１２の装置ＩＤが表示特性ＤＢ２０２に記憶されていない場合に、表示特性ＤＢ２０２に登録されている情報を表示特性ＤＢ２１４に登録されている情報と同期させる処理を行っているが、これに限定されるものではない。例えば、画像変換サーバ４４は、表示特性ＤＢ２０２に登録されている情報を表示特性ＤＢ２１４に登録されている情報と同期させる処理を、定期的に行うようにしてもよい。
【００９９】
また、第２実施形態において、電子ペーパ装置１２の装置ＩＤに代えて、電子ペーパ装置１２のロット番号を用いるようにしてもよい。また、上記では、携帯端末２４が電子ペーパ装置１２との近接通信によって電子ペーパ装置１２から情報を取得する態様を説明したが、これに限定されるものではない。例えば、電子ペーパ装置１２の表示デバイス１４にバーコード(例えば２次元バーコード)を表示させ、表示されたバーコードを携帯端末２４に設けられた撮像部によって撮像することで、電子ペーパ装置１２から携帯端末２４への情報の伝達を実現してもよい。
【０１００】
また、第２実施形態において、携帯端末２４は、画像変換サーバ４４に対して画像変換を要求する際に、電子ペーパ装置１２については装置ＩＤを送信する一方、携帯端末２４については表示特性情報を送信しているが、これに限定されるものではない。例えば、画像変換サーバ４４の記憶部５０に、個々の携帯端末２４の装置ＩＤと、個々の携帯端末２４の表示部３２の表示特性情報と、を対応付けたＤＢを記憶しておいてもよい。この場合、携帯端末２４は、画像変換サーバ４４に対して画像変換を要求する際に、携帯端末２４についても装置ＩＤを送信するように構成することができる。このような態様も本発明に含まれる。
【０１０１】
また、上記では、画像変換サーバ４４に対して画像変換を要求する際に、携帯端末２４が変換対象のコンテンツの識別情報を送信し、画像変換サーバ４４がコンテンツ提供サーバ５４からコンテンツの情報を取得していたが、これに限定されるものではない。例えば、携帯端末２４が画像変換を要求する際に、変換対象のコンテンツ自体の情報(例えばhtmlデータやpdfデータ)を画像変換サーバ４４へ送信するようにしてもよい。
【０１０２】
更に、上記では、コンテンツ提供サーバ５４から提供されたコンテンツの画像を電子ペーパ装置１２の表示デバイス１４に再表示させる態様を説明したが、これに限定されるものではない。例えば、携帯端末２４に撮像部が設けられている場合、表示デバイス１４に再表示させるコンテンツの画像は、携帯端末２４の撮像部によって撮像された画像であってもよい。このように、画像変換システム１０,２００において、コンテンツ提供サーバ５４は必須ではなく、省略することも可能である。
【０１０３】
また、上記では、携帯端末２４の表示部３２に表示されたコンテンツの中に、電子ペーパ装置１２の表示デバイス１４への再表示を所望するコンテンツが存在していた場合、画像の色調整が必要か否かを利用者が判定し、必要に応じて色調整を行っている。しかし、本発明はこの態様に限定されるものではなく、電子ペーパ装置１２の表示デバイス１４への再表示を所望するコンテンツが存在していた場合に、色調整の要否判定等を行うことなく、画像変換サーバ４４に画像変換を要求するようにしてもよい。
【０１０４】
また、上記では、携帯端末２４の表示部３２の表示特性も考慮し、電子ペーパ装置１２の表示デバイス１４に再表示される画像の画像データを、携帯端末２４の表示部３２に表示されていた際と見えが一致するように変換する態様を説明した。しかし、これに限定されるものではない。例えば、図７(Ａ)に示す階調特性Ｆ(ｄi)の非線形性が無視できる程小さい等の場合には、表示デバイス１４の表示特性(階調特性Ｇ(ｄi))は考慮する一方で、表示部３２の表示特性(階調特性Ｆ(ｄi))は考慮せずに画像データを変換するようにしてもよい。この場合、個々の電子ペーパ装置１２毎、又は電子ペーパ装置１２のロット毎の表示デバイス１４の表示特性のばらつきや非線形性は補正される一方、表示部３２の表示特性のばらつきや非線形性は補正されないが、このような態様も本発明に含まれる。
【０１０５】
更に、上記では本発明における表示デバイスの一例として、３値泳動方式の電子ペーパを例に説明したが、これに限定されるものではなく、本発明における表示デバイスは、３値泳動方式以外の構成の電子ペーパであってもよい。また、本発明における表示デバイスは電子ペーパに限られるものでもなく、例えば、携帯端末２４よりも大画面の表示部を備えたタブレット型のコンピュータ等であってもよい。
【符号の説明】
【０１０６】
１０,２００  画像変換システム
１２  電子ペーパ装置
１４  表示デバイス
１６  電圧印加部
１８  制御部
２０  記憶部
２２  近接通信部
２４  携帯端末
２６  近接通信部
２８  制御部
３０  記憶部
３２  表示部
３４  無線通信部
３６  入力部
４４  画像変換サーバ
５０  記憶部
２０４  電子ペーパ情報提供サーバ
２０２  表示特性ＤＢ
２１４  表示特性ＤＢ
【図１】
2014025980.tif 000003
【図２】
2014025980.tif 000004
【図３】
2014025980.tif 000005
【図４】
2014025980.tif 000006
【図５】
2014025980.tif 000007
【図６】
2014025980.tif 000008
【図７】
2014025980.tif 000009
【図８】
2014025980.tif 000010
【図９】
2014025980.tif 000011
【図１０】
2014025980.tif 000012